(57)【要約】【課題】必要に応じて噴霧薬剤の量を低減化できる吸入補助具を提供する。【解決手段】一端に吸入口部２ａを設けかつ透光性を有するシリンダー部２と、シリンダー部２の一端側の内部に設けられた仕切部３と、シリンダー部２内に往復移動自在に挿入されかつ外側に取っ手部４ｄを設けたピストン部４を備え、シリンダー部２に、仕切部３とピストン部４の間の内部空間１１に薬剤１２を噴霧可能な薬剤噴霧器１３が着脱自在に装着される孔部２ｃを設け、仕切部３に、吸気時に開きかつ呼気時に閉じる少なくとも１つの吸気バルブ３ｅを設け、ピストン部４に、吸気時に開きかつ呼気時に閉じる少なくとも１つの吸気バルブ４ｅを設け、シリンダー部２における吸入口部２ａと仕切部３の間に、呼気時に開きかつ吸気時に閉じる少なくとも１つの排気バルブ２ｅを設けた。【選択図】図１
2018075315.tif 000002
【特許請求の範囲】
【請求項１】
一端に吸入口部を設けかつ透光性を有するシリンダー部と、
前記シリンダー部の一端側の内部に設けられた仕切部と、
前記シリンダー部内に往復移動自在に挿入されかつ外側に取っ手部を設けたピストン部
を備え、
前記シリンダー部に、前記仕切部と前記ピストン部の間の内部空間に薬剤を噴霧可能な薬剤噴霧器が着脱自在に装着される孔部を設け、
前記仕切部に、吸気時に開きかつ呼気時に閉じる少なくとも１つの吸気バルブを設け、
前記ピストン部に、吸気時に開きかつ呼気時に閉じる少なくとも１つの吸気バルブを設け、
前記シリンダー部における前記吸入口部と前記仕切部の間に、呼気時に開きかつ吸気時に閉じる少なくとも１つの排気バルブを設けた
ことを特徴とする吸入補助具。
【請求項２】
前記シリンダー部の内周面に、長さ方向に延びる複数のレール部を突設し、
前記ピストン部の外周面に、前記レール部とそれぞれ嵌合する複数の溝部を設けた
請求項１に記載の吸入補助具。
【請求項３】
前記シリンダー部の他端の内部に、周方向に延びるストッパー部を着脱自在に装着した請求項１又は２に記載の吸入補助具。
【請求項４】
前記シリンダー部における前記孔部の周囲の外周面に、前記薬剤噴霧器が着脱自在に装着される接続口部を突設した請求項１から３のいずれかに記載の吸入補助具。
【請求項５】
前記シリンダー部における前記孔部の周囲の内周面に、前記薬剤噴霧器が着脱自在に装着される接続口部を突設した請求項１から３のいずれかに記載の吸入補助具。
【請求項６】
前記シリンダー部の外周面に、前記シリンダー部の長さ方向に沿って目盛を設けた請求項１から５のいずれかに記載の吸入補助具。
【請求項７】
前記吸入口部にマウスピース部を着脱自在に装着した請求項１から６のいずれかに記載の吸入補助具。
【請求項８】
前記吸入口部に吸入マスク部を着脱自在に装着した請求項１から６のいずれかに記載の吸入補助具。
【発明の詳細な説明】
【技術分野】
【０００１】
本発明は、噴霧薬剤を吸入するためのスペーサーとしての吸入補助具に関するものである。
【背景技術】
【０００２】
従来のこの種の技術としては、
計量投与型エーロゾル吸入装置を受け入れるように形成された入口と出口を有するチャンバ形成手段と、
幼児又は児童の鼻と口を覆い得るように形成された吸入マスクからなる投薬手段であって、幼児又は児童によるチャンバからのエーロゾル搬送空気の吸入を可能とする第１バルブを介してチャンバ出口と連絡し得るように形成され、かつ、吐き出しを可能とする第２バルブを介して大気と連絡し得るように形成されている投薬手段、
を含んでおり、
１．０ミクロンから５．０ミクロン迄の直径を有するエーロゾル微粒子の質量百分率が前記チャンバの出口においてほぼ最大となるようにして前記チャンバの入口から出口までの距離が定められており、
さらに前記チャンバの容積が２００ｍＬないし５００ｍＬである
ことを特徴とする計量投与型エーロゾル吸入装置用補助器具（例えば、特許文献１参照。）等が知られている。
【先行技術文献】
【特許文献】
【０００３】
【特許文献１】特許第３０１４４０５号公報（請求項１、第１図、等）
【発明の開示】
【発明が解決しようとする課題】
【０００４】
しかし、上記のような従来の吸入補助具においては、チャンバ内に一定量の薬剤が噴霧されるので、幼児・児童・高齢者等の使用者の条件（年齢、病状、体質等）によっては、過剰な量の噴霧薬剤を吸入することがあるという問題点がある。
【０００５】
本発明は、以上のような事情や問題点に鑑みてなされたものであり、必要に応じて噴霧薬剤の量を低減化できる吸入補助具を提供することを目的とする。
【課題を解決するための手段】
【０００６】
上記目的を達成するための第１の発明は、
一端に吸入口部を設けかつ透光性を有するシリンダー部と、
前記シリンダー部の一端側の内部に設けられた仕切部と、
前記シリンダー部内に往復移動自在に挿入されかつ外側に取っ手部を設けたピストン部
を備え、
前記シリンダー部に、前記仕切部と前記ピストン部の間の内部空間に薬剤を噴霧可能な薬剤噴霧器が着脱自在に装着される孔部を設け、
前記仕切部に、吸気時に開きかつ呼気時に閉じる少なくとも１つの吸気バルブを設け、
前記ピストン部に、吸気時に開きかつ呼気時に閉じる少なくとも１つの吸気バルブを設け、
前記シリンダー部における前記吸入口部と前記仕切部の間に、呼気時に開きかつ吸気時に閉じる少なくとも１つの排気バルブを設けた
ものである。
【０００７】
第２の発明は、前記シリンダー部の内周面に、長さ方向に延びる複数のレール部を突設し、前記ピストン部の外周面に、前記レール部とそれぞれ嵌合する複数の溝部を設けたものである。
【０００８】
第３の発明は、前記シリンダー部の他端の内部に、周方向に延びるストッパー部を着脱自在に装着したものである。
【０００９】
第４の発明は、前記シリンダー部における前記孔部の周囲の外周面に、前記薬剤噴霧器が着脱自在に装着される接続口部を突設したものである。
【００１０】
第５の発明は、前記シリンダー部における前記孔部の周囲の内周面に、前記薬剤噴霧器が着脱自在に装着される接続口部を突設したものである。
【００１１】
第６の発明は、前記シリンダー部の外周面に、前記シリンダー部の長さ方向に沿って目盛を設けたものである。
【００１２】
第７の発明は、前記吸入口部にマウスピース部を着脱自在に装着したものである。
【００１３】
第８の発明は、前記吸入口部に吸入マスク部を着脱自在に装着したものである。
【発明の効果】
【００１４】
第１の発明によれば、ピストン部をシリンダー部の一端側へ移動させることにより、必要に応じて噴霧薬剤の量を低減化できるので、過剰な量の噴霧薬剤の吸入を防止することができる。
【００１５】
第２の発明によれば、ピストン部の回転を防止できると共に、ピストン部をより滑らかに移動させることができる。
【００１６】
第３の発明によれば、ピストン部がシリンダー部から脱落するのを防止できると共に、ストッパー部を取り外してピストン部を取り出した状態でシリンダー部内やピストン部を洗浄することができる。
【００１７】
第４の発明によれば、薬剤噴霧器を接続口部に装着できると共に、装着後の薬剤噴霧器がより脱落しにくい。
【００１８】
第５の発明によれば、第４の発明の効果に加え、接続口部がシリンダー部の外側へ突出していないので、接続口部が邪魔にならないと共に、接続口部の破損を防止することができる。
【００１９】
第６の発明によれば、噴霧薬剤の量をより正確に低減化することができる。
【００２０】
第７の発明によれば、吸入口部が傷むのを防止できると共に、使用者ごとにマウスピース部を交換することができる。
【００２１】
第８の発明によれば、マウスピース部や吸入口部に口を付けて使用できない状態の使用者でも噴霧薬剤を吸入できると共に、使用者ごとに吸入マスク部を交換することができる。
【図面の簡単な説明】
【００２２】
【図１】第１実施形態における吸入補助具の断面図である。
【図２】吸入補助具の一部を断面で示す概略側面図である。
【図３】図１のＡ−Ａ線拡大断面図である。
【図４】図１のＢ−Ｂ線概略拡大断面図である。
【図５】図１のＣ−Ｃ線拡大断面図である。
【図６】ピストン部を移動させた状態を示す断面図である。
【図７】噴霧薬剤を吸入する状態を示す断面図である。
【図８】呼気時の状態を示す断面図である。
【図９】第２実施形態における吸入補助具の断面図である。
【図１０】第３実施形態における吸入補助具の断面図である。
【図１１】第４実施形態における吸入補助具の断面図である。
【発明を実施するための形態】
【００２３】
以下、本発明の実施形態を、図面に基づいて説明する。
第１実施形態における吸入補助具１は、図１〜図８に示すように、シリンダー部２と、仕切部３と、ピストン部４と、マウスピース部５を備えている。
【００２４】
シリンダー部２は、例えば円筒状に形成されており、その一端に吸入口部２ａが設けられている。このシリンダー部２は、透光性材料で構成されており、透光性を有している。これにより、シリンダー部２内のピストン部３を、シリンダー部２を透して目視できるようになっている。透光性材料としては、透明プラスチック、半透明プラスチック等が挙げられる。なお、シリンダー部２の形状は円筒状に限定されるものではなく、角筒状（四角形筒状）、多角形筒状、楕円筒状等でもよい。
【００２５】
仕切部３は、シリンダー部２の一端側の内部に設けられている。ピストン部４は、シリンダー部２内に往復移動自在に挿入されている。このピストン部４は、例えば、移動筒部４ａと、移動筒部４ａの外側の端部に設けられた移動仕切部４ｂで構成されている。なお、移動仕切部４ｂは、移動筒部４ａの内側の端部や移動筒部４ａの内部に設けてもよい。このように、ピストン部４の構成は特に限定されるものではなく、従来公知の各種の構成を採用することができる。
【００２６】
シリンダー部２の外周面には、図２に示すように、シリンダー部２の長さ方向に沿って目盛２ｂが設けられている。ピストン部４の外周面には、例えば、目盛２ｂを読むための指示線４ｃが設けられている。なお、ピストン部４に指示線４ｃを設けない場合には、ピストン部４の内側の端部又は外側の端部で目盛２ｂを読むようにしてもよい。
【００２７】
シリンダー部２には、図１に示すように、仕切部３とピストン部４の間の内部空間１１に薬剤１２を噴霧可能な薬剤噴霧器１３が着脱自在に装着される孔部２ｃが設けられている。シリンダー部２における孔部２ｃの周囲の外周面には、接続口部２ｄが突設されている。なお、孔部２ｃや接続口部２ｄの位置は特に限定されるものではなく、必要に応じて適宜変更可能である。上記の通り接続口部２ｄを突設しておけば、薬剤噴霧器１３を接続口部２ｄに装着できると共に、装着後の薬剤噴霧器１３がより脱落しにくいという利点がある。
【００２８】
シリンダー部２における吸入口部２ａと仕切部３の間には、呼気時に開きかつ吸気時に閉じる逆止弁としての例えば４つの排気バルブ２ｅが設けられている。排気バルブ２ｅは、例えば、シリンダー部２に形成された排気孔２ｆと、排気孔２ｆを閉塞するようにシリンダー部２の外側に設けられた弁体２ｇで構成されている。
【００２９】
仕切部３には、吸気時に開きかつ呼気時に閉じる逆止弁としての例えば４つの吸気バルブ３ｅが設けられている。吸気バルブ３ｅは、例えば、仕切部３に形成された吸気孔３ｆと、吸気孔３ｆを閉塞するように仕切部３の外側に設けられた弁体３ｇで構成されている。
【００３０】
ピストン部４の外側には、取っ手部４ｄが設けられている。なお、取っ手部４ｄの構成や長さは特に限定されるものではなく、シリンダー部２内に手が入らない場合や手を入れにくい場合には、取っ手部４ｄをより長く形成しておいてもよい。
【００３１】
ピストン部４には、吸気時に開きかつ呼気時に閉じる逆止弁としての例えば４つの吸気バルブ４ｅが設けられている。吸気バルブ４ｅは、例えば、ピストン部４に形成された吸気孔４ｆと、吸気孔４ｆを閉塞するようにピストン部４の内側に設けられた弁体４ｇで構成されている。
【００３２】
なお、排気バルブ２ｅや吸気バルブ３ｅ、４ｅの構成は特に限定されるものではなく、従来公知の各種の構成を採用することができる。排気バルブ２ｅや吸気バルブ３ｅ、４ｅの数も、特に限定されるものではなく、１つ以上であればよい。排気バルブ２ｅや吸気バルブ３ｅ、４ｅの弁体２ｇ、３ｇ、４ｇの材質としては、特に限定されるものではないが、ゴム、熱可塑性エラストマー、プラスチック等が挙げられる。
【００３３】
シリンダー部２の内周面には、図１及び図３に示すように、長さ方向に延びる例えば上下２つのレール部２ｈが突設されている。ピストン部４の外周面には、レール部２ｈとそれぞれ嵌合する例えば上下２つの溝部４ｈが設けられている。なお、レール部２ｈや溝部４ｈの数や位置は特に限定されるものではなく、複数のレール部２ｈや複数の溝部４ｈを適宜の位置に設けることができる。上記の通りレール部２ｈや溝部４ｈを設けておけば、ピストン部４の回転を防止できると共に、ピストン部４をより滑らかに移動させることができるという利点がある。
【００３４】
仕切部３の外周面にも、図１及び図５に示すように、レール部２ｈとそれぞれ嵌合する例えば上下２つの溝部３ｈが設けられている。仕切部３は、シリンダー部２の一端側の内部に例えば接着剤で固定されている。なお、仕切部３は、着脱自在としておいてもよい。このように、仕切部３の構成や固定手段は特に限定されるものではなく、必要に応じて適宜変更可能である。
【００３５】
シリンダー部２の他端の内部には、図１及び図４に示すように、周方向に延びるストッパー部１４が着脱自在に装着されている。上記の通りストッパー部１４を着脱自在に装着しておけば、ピストン部４がシリンダー部２から脱落するのを防止できると共に、ストッパー部１４を取り外してピストン部４を取り出した状態でシリンダー部２内やピストン部４を洗浄できるという利点がある。
【００３６】
マウスピース部５は、図１に示すように、シリンダー部２の一端の吸入口部２ａに着脱自在に装着されている。上記の通りマウスピース部５を着脱自在に装着しておけば、吸入口部２ａが傷むのを防止できると共に、使用者ごとにマウスピース部５を交換できるという利点がある。
【００３７】
なお、仕切部３、ピストン部４、取っ手部４ｄ、マウスピース部５、ストッパー部１４の材質としては、特に限定されるものではないが、プラスチック等が挙げられる。
【００３８】
吸入補助具１の使用に際しては、図１及び図２に示すように、まず、ピストン部４をシリンダー部２の他端又はその近傍まで引き寄せておき、シリンダー部２の接続口部２ｄに薬剤噴霧器１３を装着しておく。
【００３９】
次いで、仕切部３とピストン部４の間の内部空間１１に対し、薬剤噴霧器１３により一定量の薬剤１２を噴霧した後、図６に示すように、ピストン部４をシリンダー部２の一端側へ適宜の位置まで移動させれば、噴霧薬剤１２が仕切部３の吸気バルブ３ｅ、吸入口部２ａ、及びマウスピース部５を通って、吸入補助具１の外部へ放出される。これにより、必要に応じて噴霧薬剤１２の量を低減化することができる。ここで、本実施形態のように、シリンダー部２の外周面に、シリンダー部２の長さ方向に沿って目盛２ｂを設けておけば、噴霧薬剤１２の量をより正確に低減化できるという利点がある。
【００４０】
その後、図７に示すように、マウスピース部５から吸気すれば、内部空間１１に残っていた噴霧薬剤１２が仕切部３の吸気バルブ３ｅ、吸入口部２ａ、及びマウスピース部５を通して使用者に吸入されると共に、外気１５がピストン部４の吸気バルブ４ｅを通して内部空間１１へ吸気される。一方、呼気時においては、図８に示すように、使用者が吐いた息１６が、マウスピース部５、吸入口部２ａ、及びシリンダー部２の排気バルブ２ｅを通して吸入補助具１の外部へ放出される。
【００４１】
上記のように構成された吸入補助具１によれば、ピストン部４をシリンダー部２の一端側へ移動させることにより、必要に応じて噴霧薬剤１２の量を低減化できるので、過剰な量の噴霧薬剤１２の吸入を防止できるという利点がある。
【００４２】
第２実施形態における吸入補助具２１は、図９に示すように、第１実施形態において、シリンダー部２の吸入口部２ａからマウスピース部５を取り外したものである。
【００４３】
このように、吸入口部２ａにマウスピース部５を装着しない場合には、吸入口部２ａに直接口を付けて使用すればよい。
【００４４】
第３実施形態における吸入補助具３１は、図１０に示すように、
第１実施形態において、マウスピース部５の代わりに、シリンダー部２の吸入口部２ａに吸入マスク部３５を着脱自在に装着したものである。
【００４５】
吸入マスク部３５は、使用者の口及び鼻を覆うように形成されている。なお、吸入マスク部３５の材質としては、特に限定されるものではないが、プラスチック等が挙げられる。上記の通り吸入マスク部３５を着脱自在に装着しておけば、マウスピース部５や吸入口部２ａに口を付けて使用できない状態の使用者でも噴霧薬剤１２を吸入できると共に、使用者ごとに吸入マスク部３５を交換できるという利点がある。
【００４６】
第４実施形態における吸入補助具４１は、図１１に示すように、
第１実施形態において、薬剤噴霧器１３が着脱自在に装着される接続口部２ｄを、シリンダー部２における孔部２ｃの周囲の内周面に突設したものである。
【００４７】
上記の通り接続口部２ｄを孔部２ｃの周囲の内周面に突設しておけば、第１実施形態と同様の利点に加え、接続口部２ｄがシリンダー部２の外側へ突出していないので、接続口部２ｄが邪魔にならないと共に、接続口部２ｄの破損を防止できるという利点がある。
【産業上の利用可能性】
【００４８】
以上のように、本発明の吸入補助具は、必要に応じて噴霧薬剤の量を低減化するための手段として有用である。
【符号の説明】
【００４９】
１、２１、３１、４１  吸入補助具
２  シリンダー部
２ａ  吸入口部
２ｂ  目盛
２ｃ  孔部
２ｄ  接続口部
２ｅ  排気バルブ
２ｈ  レール部
３  仕切部
３ｅ  吸気バルブ
４  ピストン部
４ｄ  取っ手部
４ｅ  吸気バルブ
４ｈ  溝部
５  マウスピース部
１１  内部空間
１２  薬剤又は噴霧薬剤
１３  薬剤噴霧器
１４  ストッパー部
３５  吸入マスク部
【図１】
2018075315.tif 000003
【図２】
2018075315.tif 000004
【図３】
2018075315.tif 000005
【図４】
2018075315.tif 000006
【図５】
2018075315.tif 000007
【図６】
2018075315.tif 000008
【図７】
2018075315.tif 000009
【図８】
2018075315.tif 000010
【図９】
2018075315.tif 000011
【図１０】
2018075315.tif 000012
【図１１】
2018075315.tif 000013